(57)【要約】【課題】  使用位置および退避位置に交互に入れ替わるように連動する高倍率ルーペおよび低倍率ルーペを備えたカメラのファインダ装置を提案すること。【解決手段】  ファインダ装置１は、ファインダ筐体２に前後方向に、支軸３５、４５を中心として旋回可能に支持された高倍率ルーペ３および低倍率ルーペ４を備え、これらは歯車式の連動機構５によって連結され、これらが使用位置３Ａ、４Ａおよび退避位置３Ｂ、４Ｂに交互に入れ替わるように連動する。これらの入れ替え操作を簡単かつ即座に行うことができる。【選択図】  図２
2005055671.tif 000002
【特許請求の範囲】
【請求項１】
筒状のファインダ筐体と、
前記ファインダ筐体に支持されている相互に倍率の異なる第１および第２のルーペと、
前記第１および第２のルーペを、前記ファインダ筐体の上端開口側の使用位置および前記上端開口から外れた退避位置に交互に入れ替わるように連動させる連動機構と、
を有しているカメラのファインダ装置。
【請求項２】
請求項１において、
前記ファインダ筐体に支持され、当該ファインダ筐体の中心軸線に直交する方向に平行に延びている第１および第２の支軸を有し、
前記第１の支軸を中心として前記第１のルーペが前記使用位置および退避位置に旋回可能であり、
前記第２の支軸を中心として前記第２のルーペが前記使用位置および退避位置に旋回可能であるカメラのファインダ装置。
【請求項３】
請求項２において、
前記第１のルーペおよび前記第２のルーペをそれぞれ前記使用位置に固定するためのストッパ機構を有しているカメラのファインダ装置。
【請求項４】
請求項３において、
前記連動機構は、
前記第１の支軸回りに前記第１のルーペと共に回転する第１の歯車と、
前記第２の支軸回りに前記第２のルーペと共に回転する第２の歯車と、
前記第１および第２の歯車の双方に噛み合っている伝達歯車とを備えているカメラのファインダ装置。
【請求項５】
請求項４において、
前記ストッパ機構は、
前記ファインダ筐体の側に形成した第１のストッパ面と、
前記第１のルーペの側に形成した第１の当接面とを備え、
前記第１のルーペが前記使用位置まで旋回すると前記第１のストッパ面に対して前記第１の当接面が当接状態になり、前記第１のルーペが前記使用位置に固定されるカメラのファインダ装置。
【請求項６】
請求項４または５において、
前記ストッパ機構は、
前記ファインダ筐体の側に形成した第２のストッパ面と、
前記第１のルーペの側に形成した第２の当接面とを備え、
前記第２のルーペが前記使用位置まで旋回すると、前記第２のストッパ面に対して前記第２の当接面が当接状態になり、前記第２のルーペが前記使用位置に固定されるカメラのファインダ装置。
【請求項７】
請求項６において、
前記ストッパ機構は、更に、
前記第１のルーペの側に形成したストッパピンと、
前記第２のルーペの側に形成したストッパ溝とを備え、
前記第２のルーペが前記使用位置まで旋回すると、前記ストッパピンが前記ストッパ溝に嵌り込み、当該第２のルーペが固定されるカメラのファインダ装置。
【請求項８】
請求項３において、
前記連動機構は、前記第１および第２のルーペを、前記第１および第２の支軸に平行な軸線回りに回転可能な状態で、相互に連結している連結部と、前記ファインダ筐体および前記第２のルーペのうちの一方の側に形成したカム溝とを備え、
前記第２の支軸は、前記ファインダ筐体および前記第２のルーペのうちの他方の側に取り付けられ、前記カム溝に回転可能な状態で差し込まれていると共に当該カム溝に沿って摺動可能であるカメラのファインダ装置。
【請求項９】
請求項８において、
前記ストッパ機構は、前記第２の支軸と、前記カム溝の溝端面とによって構成されているカメラのファインダ装置。
【請求項１０】
請求項３ないし９のうちのいずれかの項において、
前記第１のルーペは、前記第１の支軸を中心として前後方向に回転可能な左右の第１の側板と、これら第１の側板の上端に架け渡されている第１のルーペ架台と、この第１のルーペ架台に取り付けられている第１のルーペ本体とを備えており、
前記第２のルーペは、前記第２の支軸を中心として前後方向に回転可能な左右の第２の側板と、これら第２の側板の上端に架け渡されている第２のルーペ架台と、この第２のルーペ架台に取り付けられている第２のルーペ本体とを備えており、
前記第１のルーペが前記使用位置に旋回すると、前記第１のルーペ架台が前記ファインダ筐体の前記上端開口を覆った状態になり、
前記第２のルーペが前記使用位置に旋回すると、前記第２のルーペ架台が前記ファインダ筐体の前記上端開口の真上に位置し、これら第２のルーペ架台および上端開口の間の部分が、前方に位置する前記第１のルーペ架台と、側方に位置する前記第１および第２の側板によって取り囲まれた状態になるカメラのファインダ装置。
【請求項１１】
請求項１０において、
前記第２のルーペ架台の後端部分と前記ファインダ筐体の上端開口の後端部分との間に架け渡した可撓性素材からなる遮光シートを有しているカメラのファインダ装置。
【発明の詳細な説明】
【技術分野】
【０００１】
本発明は、カメラのファインダスクリーンに取り付けて、撮影画像のピント合わせを行うために用いるカメラのファインダ装置に関し、特に、高倍率ルーペおよび低倍率ルーペを簡単な操作により切り替えて使用可能なカメラのファインダ装置に関するものである。
【背景技術】
【０００２】
大型カメラなどにおいては撮影画像のピント合わせを正確に行うために、カメラに設けられたファインダスクリーン（焦点板）に取り付け可能なウエストレベルファインダなどのファインダ装置が用いられている。ファインダ装置は、カメラに取り付け可能な筒状のファインダ筐体と、このファインダ筐体に取り付けられたルーペとを備えた構成となっている。一般的なウエストレベルファインダは、ほぼ全視野を同時に観察できる低倍率ルーペだけを備えている。全視野を同時に観察できるが、倍率が３倍程度以下に抑えられているので、精度良くピント合わせができないなどの不便さがある。
【０００３】
これに対して、下記の特許文献１では、撮影画像のピント合わせを正確に行うために高倍率ルーペを備えたファインダ装置において、高倍率ルーペを視野上で移動できる構成を採用している。この構成では、構図を決めるために全視野を同時に見る場合には、高倍率ルーペを撥ね上げて光軸上から退避させる必要がある。高倍率ルーペを撥ね上げると、ファインダ画像が上方からの有害光に晒され、視認しにくくなる場合がある。また、ルーペを通さずに直接にファインダ画像を見るので、画像が近すぎる、あるいは小さすぎるなどの不具合が生ずる場合がある。
【特許文献１】実公平５−５５４５号公報
【発明の開示】
【発明が解決しようとする課題】
【０００４】
本発明の課題は、このような点に鑑みて、低倍率ルーペと高倍率ルーペの双方を備え、簡単な操作により即座にこれらを入れ替え可能なカメラのファインダ装置を提案することにある。
【０００５】
また、本発明の課題は、上記課題に加えて、低倍率ルーペおよび高倍率ルーペのいずれの使用時においても視野上に観察の妨げとなる有害光が侵入することを防止可能な遮光性を備えたカメラのファインダ装置を提案することにある。
【課題を解決するための手段】
【０００６】
本発明のカメラのファインダ装置は、
筒状のファインダ筐体と、
前記ファインダ筐体に支持されている相互に倍率の異なる第１および第２のルーペと、
前記第１および第２のルーペを、前記ファインダ筐体の上端開口側の使用位置および当該上端開口から外れた退避位置に交互に入れ替わるように連動させる連動機構と、
を有していることを特徴としている。
【０００７】
典型的な構成では、前記ファインダ筐体に支持され、前記ファインダ筐体の中心軸線に直交する方向に平行に延びている第１および第２の支軸を有し、前記第１の支軸を中心として前記第１のルーペを前記使用位置および退避位置に旋回可能とし、前記第２の支軸を中心として前記第２のルーペを前記使用位置および退避位置に旋回可能とすればよい。
【０００８】
ここで、前記第１のルーペおよび前記第２のルーペをそれぞれ前記使用位置に確実に固定するためのストッパ機構を有していることが望ましい。
【０００９】
本発明のファインダ装置における前記連動機構としては、前記第１の支軸回りに前記第１のルーペと共に回転する第１の歯車と、前記第２の支軸回りに前記第２のルーペと共に回転する第２の歯車と、前記第１および第２の歯車の双方に噛み合っている伝達歯車とを備えた構成のものを用いることができる。
【００１０】
この場合、前記第１のルーペを前記使用位置に固定するためのストッパ機構として、前記ファインダ筐体の側に形成した第１のストッパ面と、前記第１のルーペの側に形成した第１の当接面とを備えた構成のものを採用し、前記第１のルーペが前記使用位置まで旋回すると前記第１のストッパ面に対して前記第１の当接面が当接状態になるように、これらの形成位置を規定すればよい。
【００１１】
一方、前記第２のルーペを前記使用位置に固定するためのストッパ機構を、前記ファインダ筐体の側に形成した第２のストッパ面と、前記第１のルーペの側に形成した第２の当接面とを備えた構成のものとし、前記第２のルーペが前記使用位置まで旋回すると、前記第２のストッパ面に対して前記第２の当接面が当接状態になるように、これらの形成位置を規定すればよい。
【００１２】
この場合、前記連動機構が歯車により構成されている場合には、ストッパ機構によって第１のルーペの旋回を止めても、歯車の噛み合いのバックラッシ分だけ、使用位置にある第２のルーペにがたつきが発生してしまう。第２のルーペを使用位置に確実に固定するためには、上記構成に加えて、前記第１のルーペの側に形成したストッパピンと、前記第２のルーペの側に形成したストッパ溝とを備え、前記第２のルーペが前記使用位置まで旋回すると、前記ストッパピンが前記ストッパ溝に嵌り込み、これらの機械的な係合により当該第２のルーペが固定されるように構成することが望ましい。
【００１３】
次に、本発明のファインダ装置における前記連動機構としては、前記第１および第２のルーペを、前記第１および第２の支軸に平行な軸線回りに回転可能な状態で連結している連結部と、前記ファインダ筐体および前記第２のルーペのうちの一方の側に形成したカム溝とを備えた構成のものを採用できる。この場合には、前記第２の支軸を、前記ファインダ筐体および前記第２のルーペのうちの他方の側に取り付けて、前記カム溝に回転可能な状態で差し込むと共に当該カム溝に沿って摺動可能にすればよい。このように、第２のルーペの旋回中心を規定している第２の支軸をカム溝に沿って移動可能にすることにより、連結状態にある第１および第２のルーペが、旋回中心あるいは旋回半径が異なっていても、これらを連結状態のままで使用位置および退避位置に移動させることができる。
【００１４】
この場合には、前記第１および第２のルーペを前記使用位置に固定するためのストッパ機構として、カム溝の一方の溝端面を利用すればよい。溝端面を適切な位置に形成しておけば、ルーペが前記使用位置まで旋回すると、第２の支軸が当該溝端面に当たり、それ以上の旋回が阻止され、ルーペが使用位置に固定される。
【００１５】
次に、本発明のファインダ装置には、第１および第２のルーペがそれぞれ使用位置に旋回した状態において、外光がファインダスクリーンに侵入することを阻止するための遮光機構が備わっていることが望ましい。
【００１６】
遮光機構は次のように構成することができる。まず、前記第１のルーペを、前記第１の支軸を中心として前後方向に回転可能な左右の第１の側板と、これら第１の側板の上端に架け渡されている第１のルーペ架台と、この第１のルーペ架台に取り付けられている第１のルーペ本体とを備えた構成とし、前記第２のルーペも同じく、前記第２の支軸を中心として前後方向に回転可能な左右の第２の側板と、これら第２の側板の上端に架け渡されている第２のルーペ架台と、この第２のルーペ架台に取り付けられている第２のルーペ本体とを備えた構成とする。そして、前記第１のルーペが前記使用位置に旋回すると、前記第１のルーペ架台が前記ファインダ筐体の前記上端開口を覆った状態となるようにする。
【００１７】
また、前記第２のルーペが前記使用位置に旋回して、前記第２のルーペ架台が前記ファインダ筐体の前記上端開口の真上に位置した場合には、これら第２のルーペ架台および上端開口の間の部分を、前方に位置する前記第１のルーペ架台と、側方に位置する前記第１および第２の側板によって取り囲まれた状態にすればよい。
【００１８】
この場合、前記第２のルーペ架台の後端部分と前記ファインダ筐体の上端開口の後端部分との間に架け渡した可撓性素材からなる遮光シートを有していれば、確実に外光を遮断できるので望ましい。
【発明の効果】
【００１９】
本発明のカメラのファインダ装置では、第１および第２のルーペが、連動機構によって、使用位置および退避位置に交互に入れ替わるように連動可能である。例えば、歯車式などの連動機構によって、一方が使用位置に旋回すると他方が使用位置から退避位置に旋回する。よって、一方のルーペを操作することにより、簡単かつ即座にルーペの入れ替えを行うことができる。
【００２０】
また、本発明では、第１のルーペおよび第２のルーペをそれぞれ使用位置に固定するためのストッパ機構を有しているので、各ルーペをがたつきを伴うことなく光軸上に固定できる。よって、ルーペががたついてファインダ画像の視認性が劣化するなどの弊害を防止できる。
【００２１】
さらに、本発明では、各ルーペが使用位置に旋回した状態において、外光がファインダスクリーンに侵入することを防止可能な遮光機構を備えている。したがって、いずれのルーペを使用する場合においても、外光がファインダスクリーンを照射してファインダ画像の視認性が低下するという弊害を回避できる。
【発明を実施するための最良の形態】
【００２２】
以下に、図面を参照して本発明を適用したカメラのファインダ装置の実施の形態を説明する。
【００２３】
（実施の形態１）
図１は本実施の形態に係るカメラのファインダ装置を示す斜視図であり、（ａ）は高倍率ルーペを使用する状態の斜視図であり、（ｂ）は低倍率ルーペを使用する状態の斜視図である。図２はファインダ装置の動作を示す説明図である。
【００２４】
ファインダ装置１は、ファインダ筐体２と、ここに旋回自在に支持されている高倍率ルーペ３および低倍率ルーペ４と、これら高倍率ルーペ３および低倍率ルーペ４を連動して旋回させるための歯車式の連動機構５を有している。連動機構５によって、高倍率ルーペ３および低倍率ルーペ４は、カメラ６の側のファインダスクリーン７に結像する撮影画像の光軸Ｌ上の使用位置３Ａ、４Ａおよびそこから退避した退避位置３Ｂ、４Ｂに交互に入れ替わるように旋回する。図１（ａ）および図２の実線は、高倍率ルーペ３が使用位置３Ａにあり、低倍率ルーペ４が退避位置４Ｂにある状態を示してあり、図１（ｂ）および図２の想像線は逆の状態を示してある。
【００２５】
ファインダ筐体２は矩形筒状のものであり、その下端には一回り大きな矩形の取付枠８が形成されている。取付枠８は、カメラ６のファインダスクリーン７の側に取り外し可能な状態で固定され、固定された状態ではファインダ筐体２の中心軸線２ａがカメラ側の光軸Ｌに一致する。
【００２６】
高倍率ルーペ３は、ファインダ筐体２の上端開口２１を封鎖可能な大きさの矩形枠状のルーペ架台３１を備えている。ルーペ架台３１の中央部分にはルーペ本体３２がそのレンズ光軸に直交する方向に所定範囲に亘ってスライド可能な状態で支持されている。すなわち、ルーペ本体３２は高倍率レンズ３２ａと、これを支持しているレンズ枠３２ｂを備え、レンズ枠３２ｂの外周面からはレンズ光軸に直交する方向に円環状フランジ３２ｃが広がっている。ルーペ架台３１の側には、円環状フランジ３２ｃをその平面方向にスライド可能な状態で支持している円環状のスライド溝３１ａが形成されている。ルーペ架台３１の裏面の両側からは、ファインダ筐体２の左右の側面とほぼ同一幅および高さの側板３３、３４が垂直に延びている。各側板３３、３４の前端面の下半部分は後方側に僅かに傾斜した傾斜面（当接面）３３ａ、３４ａ（図においては３３ａのみ示す。）とされている。
【００２７】
左右の側板３３、３４における前端下隅部分には、支軸３５の両端が固定されている。支軸３５は、ファインダ筐体２の中心軸線２ａに直交する方向に延びており、本例では、その幅方向に向けて水平に延びており、当該ファインダ筐体２によって回転自在に支持されている。よって、高倍率ルーペ３は当該支軸３５を中心として旋回可能であり、その使用位置３Ａにおいては、ルーペ架台３１の左右の側板３３、３４の下端面３３ｂ、３４ｂ（当接面）がファインダ筐体２の取付枠８の左右の上面部分における後端部分から僅かに突出しているストッパ面８ａ、８ｂ（図においては８ａのみを示してある。）に当接し、ルーペ架台３１が水平状態に保持される。
【００２８】
高倍率ルーペ３を前方に旋回してその退避位置３Ｂにすると、その左右の側板３３、３４の前側の傾斜端面３３ａ、３４ａが、ファインダ筐体２の取付枠８の左右の上面部分における前端部分から僅かに突出しているストッパ面８ｃ、８ｄ（図においては８ｃのみを示す。）に当たり、ルーペ架台３１は、上側が後方に僅かに傾斜した傾斜姿勢に保持され、そのルーペ架台３１がファインダ筐体２の上端開口２１から後退する。すなわち、ファインダスクリーン７の視野から後退する。
【００２９】
次に、低倍率ルーペ４は、矩形枠状のルーペ架台４１と、ここに固定したルーペ本体４２と、ルーペ本体４２の裏面の左右から垂直に延びている側板４３、４４（図においては４３のみを示す。）とを備えている。ルーペ本体４２はレンズ枠とそこに取り付けた低倍率レンズから構成される。側板４３、４４は、高倍率ルーペ３の左右の側板３３、３４の内側に位置しており、それらの下端前側の部位が、ファインダ筐体２を幅方向に水平に貫通している支軸４５の両端に固定されている。支軸４５はファインダ筐体２によって回転自在に支持されているので、低倍率ルーペ４は当該支軸４５を中心として前後方向に旋回可能である。低倍率ルーペ４は、その使用位置４Ａでは、ルーペ架台４１が水平に保持され、そのルーペ本体４２のレンズ光軸がカメラ光軸Ｌに一致する。低倍率ルーペ４はこの使用位置４Ａから後方に９０度旋回して水平に倒れた退避位置４Ｂに至る。
【００３０】
次に、高倍率ルーペ３および低倍率ルーペ４を連動して旋回させる歯車式の連動機構５を説明する。連動機構５は、高倍率ルーペ３の支軸３５に同軸状態で固定した歯車５１と、低倍率ルーペ４の支軸４５に同軸状態で固定した歯車５２と、これら双方の歯車５１、５２に噛み合っている伝達歯車５３とを備えている。伝達歯車５３はファインダ筐体２の側に回転自在の状態で支持されている。これら歯車５１〜５３の歯数比を適切に定めることにより、高倍率ルーペ３を使用位置３Ａに旋回すると低倍率ルーペ４を退避位置まで旋回させ、低倍率ルーペ４を使用位置４Ａに旋回すると高倍率ルーペ３を退避位置まで旋回させることができる。
【００３１】
ここで、前述のように、高倍率ルーペ３をその使用位置３Ａに旋回すると、その側板３３、３４の下端面３３ｂ、３４ｂがファインダ筐体２の後端側のストッパ面８ａ、８ｂに当たり、その位置に保持される。すなわち、下端面３３ｂ、３４ｂとストッパ面８ａ、８ｂとによって、高倍率ルーペ３をその使用位置３Ａに固定するストッパ機構が構成されている。
【００３２】
低倍率ルーペ４をその使用位置４Ａに旋回すると、連動して退避位置３Ｂまで旋回した高倍率ルーペ３の側板３３、３４の前端側の傾斜端面３３ａ、３４ａがファインダ筐体２の前端側のストッパ面８ｃ、８ｄに当たる。低倍率ルーペ４と高倍率ルーペ３とは歯車式の連動機構５を介して連結されているので、高倍率ルーペ３の旋回が阻止されると、低倍率ルーペ４の旋回も止まり、その位置に低倍率ルーペ４が保持される。しかるに、歯車の噛み合いにはバックラッシがあるので、高倍率ルーペ３が定まった位置に固定されても、歯車列を介して連結されている低倍率ルーペ４はバックラッシ分だけ前後にがたついてしまい、その使用位置に確実に固定できない。そこで、本例においては、低倍率ルーペ４をその使用位置４Ａに固定するためのストッパ機構として、傾斜端面３３ａ、３４ａおよびストッパ面８ｃ、８ｄに加えて、ストッパピンおよびストッパ溝からなる機構を備えている。
【００３３】
図３は、ストッパピンおよびストッパ溝からなる機構を示す説明図である。なお、図１および図２においては他の構成部分の理解を容易にするために、当該ストッパピンおよびストッパ溝を省略してある。本例においては、ストッパピン３６が高倍率ルーペ３の側板３３から側方に水平に突出する状態に取り付けられ、ストッパ溝４６が形成されている下端部分が二又状に前後方向に分かれたストッパ受け板４７が低倍率ルーペ４の側板４３の外側面に固定されている。
【００３４】
ストッパピン３６の位置は次のように定められている。低倍率ルーペ４がその使用位置４Ａにある状態、すなわち高倍率ルーペ３がその退避位置３Ｂにある状態において、ストッパピン３６の中心と高倍率ルーペ３の支軸３５の中心を結ぶ線分をＬ１とする。また、ストッパピン３６の中心と低倍率ルーペ４の支軸４５の中心を結ぶ線分をＬ２とする。この場合、線分Ｌ１から後方に向かう回転方向を正とした場合に、これらの線分Ｌ１、Ｌ２のなす角度α１が正の値となるように、ストッパピン３６の取り付け位置を定める。このように設定すると、高倍率ルーペ３の側のストッパピン３６は回転軌跡Ｃ１に沿って移動し、低倍率ルーペ４の側のストッパ受け板４７の円弧状のストッパ溝４６の中心は回転軌跡Ｃ２に沿って移動して、低倍率ルーペ４がその使用位置４Ａまで回転した時点で、双方の回転軌跡Ｃ１、Ｃ２が交差する。
【００３５】
また、ストッパ溝４６の前側の溝形状は、低倍率ルーペ４がその使用位置４Ａまで旋回すると、ストッパピン３６の前側の外周面部分に当たる凹円弧形状とされている。これに対して、ストッパ溝４６の後側の溝形状は、低倍率ルーペ４がその使用位置４Ａに至るまではストッパピン３６に干渉しない形状とされ、ストッパピン３６がストッパ溝４６に嵌った後はストッパ溝４６が旋回しない限り、ストッパピン３６がストッパ溝４６に嵌った状態が保持されるようになっている。この溝形状を直線状とする場合には、線分Ｌ２と当該溝形状を規定する線分Ｌ３とのなす角度α２を、干渉しない範囲内で最小とすることが望ましい。勿論、溝形状を直線状とせずに凹曲面としてもよい。
【００３６】
このように構成したストッパピン３６およびストッパ溝４６を備えている場合には、低倍率ルーペ４がその使用位置４Ａまで旋回すると、ストッパピン３６がストッパ溝４６に嵌り込んだ状態になる。ストッパピン３６が取り付けられている高倍率ルーペ３の側はその傾斜端面３３ａ、３４ａが取付枠８のストッパ面８ｃ、８ｄに当たって、その位置が固定される。位置が固定された高倍率ルーペ３のストッパピン３６と低倍率ルーペ４の側のストッパ溝４６が機械的に係合しているので、低倍率ルーペ４がその使用位置４Ａに確実に固定される。高倍率ルーペ３を使用位置３Ａに向けて旋回すると、図３において１〜６の番号を付してあるように、ストッパピン３６およびストッパ溝４６は相互に干渉することなく旋回する。
【００３７】
次に、本実施の形態のファインダ装置１では、いずれのルーペ３、４を使用する場合においても、ファインダスクリーン７に有害光が侵入することを防止できる。高倍率ルーペ３を使用する場合には、それを使用位置３Ａに旋回すると、図１（ａ）から分かるように、そのルーペ架台３１によってファインダ筐体２の上端開口２１が封鎖された状態になる。よって、有害光の侵入を防止できる。
【００３８】
低倍率ルーペ４を使用するために、それを使用位置４Ａに旋回させた場合には、図１（ｂ）から分かるように、ファインダ筐体２の上端開口２１の真上にルーペ本体４２が位置した状態になる。この場合には、これらの間の空間の前側が高倍率ルーペ３のルーペ架台３１によって覆われ、左右が各ルーペ３、４の側板３３、３４、４３、４４によって覆われた状態になる。よって、有害光の侵入を防止できる。
【００３９】
ここで、低倍率ルーペ４の使用時において有害光の侵入を確実に防止するためには、図１（ｂ）において想像線で示すように、低倍率ルーペ４のルーペ枠４１の後端部分４１ａと、ファインダ筐体２の上端開口２１の後端縁部分２１ａとの間に、可撓性素材からなる遮光シート９を架け渡した構成を採用することが望ましい。このようにすれば、低倍率ルーペ４の使用時には、ファインダ筐体２の上端開口２１とルーペ架台４１の間の部分は、四周が囲まれた状態になるので、有害光の侵入を確実に防止できる。
【００４０】
（実施の形態２）
図４は本発明を適用した実施の形態２に係るファインダ装置を示す概略構成図である。このファインダ装置１００の基本構成は上記の実施の形態１に係るファインダ装置１と同一であるので、対応する部位には同一の符号を付し、それらの説明は省略する。
【００４１】
ファインダ装置１００は、高倍率ルーペ３および低倍率ルーペ４の連動機構が上記の場合とは相違している。本例では、高倍率ルーペ３のルーペ架台３１の後端部分３１ｂと、低倍率ルーペ４のルーペ架台４１の前端部分４１ｂとを、支軸３５、４５に平行な軸線回りに回転可能な状態で連結した連結部１０１を備えている。また、低倍率ルーペ４の側板４３、４４は支軸４５の両端には固定されていない。この代わりに、側板４３、４４には長円形のカム溝１０２が形成されており、ファインダ筐体２の側の支軸４５は、このカム溝１０２に回転自在の状態で差し込まれていると共に、当該カム溝１０２に沿って摺動可能となっている。
【００４２】
連結部１０１における高倍率ルーペ３の側の部分は、固定されている支軸３５を中心として回転軌跡Ｃ３に沿って移動する。これに対して、連結部１０１における低倍率ルーペ４の側の部分は、支軸４５が低倍率ルーペ４に固定されている場合には曲率半径の小さな回転軌跡Ｃ４に沿って移動することになる。しかるに、本例では、低倍率ルーペ４が支軸４５に対してカム溝１０２を介して連結されている。カム溝１０２の長さが適切に設定されているので、低倍率ルーペ４が半径方向にスライドしながら旋回して、その連結部１０１の回転軌跡Ｃ４が高倍率ルーペ３の側の回転軌跡Ｃ３に一致する。よって、高倍率ルーペ３および低倍率ルーペ４をそれらの使用位置３Ａ、４Ａおよび退避位置３Ｂ、４Ｂに交互に入れ替えできるように、連動して旋回させることができる。
【００４３】
また、高倍率ルーペ３が使用位置３Ａまで旋回すると、支軸４５がカム溝１０２の前側の溝端面１０２ａに当たるので、それ以上の旋回が阻止される。同様に、低倍率ルーペ４が使用位置４Ａまで旋回すると、支軸４５がカム溝１０２の溝端面１０２ａに当たり、やはりそれ以上の旋回が阻止される。このように、本例では、支軸４５とカム溝１０２の溝端面１０２ａとが、各ルーペ３、４を使用位置に固定するためのストッパ機構として機能する。よって、実施の形態１におけるストッパ機構を省略できる。
【図面の簡単な説明】
【００４４】
【図１】本発明の実施の形態１に係るファインダ装置を示す図であり、（ａ）は高倍率ルーペが使用位置にある状態を示す斜視図であり、（ｂ）は低倍率ルーペが使用位置にある状態を示す斜視図である。
【図２】図１のファインダ装置の概略構成図である。
【図３】図１のファインダ装置のストッパ機構を示す説明図である。
【図４】本発明の実施の形態２に係るファインダ装置を示す概略構成図である。
【符号の説明】
【００４５】
１、１００  ファインダ装置
２  ファインダ筐体
２ａ  中心軸線
３  高倍率ルーペ
３１  ルーペ架台
３１ａ  スライド溝
３２  ルーペ本体
３２ａ  レンズ
３２ｂ  レンズ枠
３２ｃ  円環状フランジ
３３、３４  側板
３３ａ、３４ａ  傾斜端面（当接面）
３３ｂ、３４ｂ  下端面（当接面）
３５、４５  支軸
３６  ストッパピン
４  低倍率ルーペ
４１  ルーペ架台
４２  ルーペ本体
４３、４４  側板
４６  ストッパ溝
４７  ストッパ受け板
５  連動機構
５１、５２、５３  歯車
６    カメラ
７    焦点板
９    遮光シート
Ｌ  光軸
１０１  連結部
１０２  カム溝
１０２ａ  溝端面
【図１】
2005055671.tif 000003
【図２】
2005055671.tif 000004
【図３】
2005055671.tif 000005
【図４】
2005055671.tif 000006